(57)【要約】      （修正有）【課題】特に、運動によりストレス解消を行うという猫の欲求を充分に満たすことができる低層型の猫タワーを提供する。【解決手段】上面に猫１１が飛び乗ったり寝転んだりする台座１２を有し、水平方向に貫通孔１３を有する筒状の台状部１４と、台状部１４の貫通孔１３の内部で回動可能に設置された円筒状回転部１５とから成り、猫１１が円筒状回転部１５の内側面で略同一の位置を保ったままで歩いたり走ったりすることが可能とされた構成とされている。【選択図】図１
0003212527.tif 000002
【実用新案登録請求の範囲】
【請求項１】
上面に猫が飛び乗ったり寝転んだりする台座を有し、水平方向に貫通孔を有する筒状の台状部と、前記台状部の前記貫通孔の内部で回動可能に設置された円筒状回転部とから成り、
猫が前記円筒状回転部の内側面で略同一の位置を保ったままで歩いたり走ったりすることが可能とされていることを特徴とする猫タワー。
【請求項２】
前記台状部の内側面と前記円筒状回転部の外側面との間には、ベアリングが介在されていることを特徴とする請求項１に記載の猫タワー。
【請求項３】
前記ベアリングは、静音機能付きのベアリングであることを特徴とする請求項２に記載の猫タワー。
【請求項４】
前記円筒状回転部の内側面に、投影手段で、目標物を投影可能とされていることを特徴とする請求項１乃至３のいずれか１項に記載の猫タワー。
【請求項５】
前記台状部の下方には、その幅方向に転倒防止用部材が設けられていることを特徴とする請求項１乃至４のいずれか１項に記載の猫タワー。
【考案の詳細な説明】
【技術分野】
【０００１】
本考案は、屋内に設置される猫タワーに関するものである。
【背景技術】
【０００２】
近年、猫を飼うのは、屋内飼いが主流となってきているが、猫の本能的な高いところ好きなことと、運動によりストレス解消を行うことなど猫の欲求を満たすために、屋内に猫タワーを設置することがなされている。
【０００３】
従来から、様々な猫タワーが提案されているが、大きく２つに分類することができる。
【０００４】
まず、例えば、特許文献１に開示されたような床から天井にまで至るような高さを有する高層型の猫タワーがある。
【０００５】
このような高層型の猫タワーは、猫の飼い主が家に充分な広いスペースを有し、飼う猫の頭数が少ないということが要求される。
【０００６】
これに対し、例えば、特許文献２に開示されたような比較的低い高さの低層型の猫タワーがある。
【０００７】
このような低層型の猫タワーは、猫の飼い主が家に充分な広いスペースが無い場合や、スペースがあっても、飼う猫の頭数が多い場合などに便利なものである。
【０００８】
しかしながら、従来の低層型の猫タワーでは、猫の性格にもよるが、多くの猫にとって、特に、運動によりストレス解消を行うという欲求を充分に満たすことができないという問題点があった。
【先行技術文献】
【特許文献】
【０００９】
【特許文献１】特開２００３−２３６６４３号公報
【特許文献２】実用新案登録第３１７１１７２号公報
【考案の概要】
【考案が解決しようとする課題】
【００１０】
本考案は、以上のような従来の問題点を解消するためのものであって、その課題は、特に、運動によりストレス解消を行うという猫の欲求を充分に満たすことができる低層型の猫タワーを提供することにある。
【課題を解決するための手段】
【００１１】
前記課題を解決するために、請求項１記載の考案にあっては、上面に猫が飛び乗ったり寝転んだりする台座を有し、水平方向に貫通孔を有する筒状の台状部と、前記台状部の前記貫通孔の内部で回動可能に設置された円筒状回転部とから成り、猫が前記円筒状回転部の内側面で略同一の位置を保ったままで歩いたり走ったりすることが可能とされていることを特徴とする。
従って、猫が前記台状部の前記台座に飛び乗ったり寝転んだりすることができるのは勿論、前記円筒状回転部の内側面で猫が歩いたり走ったりすることができる。
【００１２】
請求項２記載の考案にあっては、前記台状部の内側面と前記円筒状回転部の外側面との間には、ベアリングが介在されていることを特徴とする。
従って、前記ベアリングにより、前記台状部の内側面と前記円筒状回転部の外側面との間の摩擦力を低減させることができる。
【００１３】
請求項３記載の考案にあっては、前記ベアリングは、静音機能付きのベアリングであることを特徴とする。
従って、前記ベアリングが、静音機能付きのベアリングであるため、前記円筒状回転部の内側面で猫が歩いたり走ったりしても、騒音が出ない。
【００１４】
請求項４記載の考案にあっては、前記円筒状回転部の内側面に、投影手段で、目標物を投影可能とされていることを特徴とする。
従って、前記円筒状回転部の内側面で猫は投影された目標物を追いかけて歩いたり走ったりする。
【００１５】
請求項５記載の考案にあっては、前記台状部の下方には、その幅方向に転倒防止用部材が設けられていることを特徴とする。
従って、前記転倒防止用部材により、前記円筒状回転部の内側面で猫が歩いたり走ったりしている場合などにも、前記猫タワーが横倒しになるおそれを低減することができる。
【考案の効果】
【００１６】
請求項１記載の猫タワーにあっては、上面に猫が飛び乗ったり寝転んだりする台座を有し、水平方向に貫通孔を有する筒状の台状部と、前記台状部の前記貫通孔の内部で回動可能に設置された円筒状回転部とから成り、猫が前記円筒状回転部の内側面で略同一の位置を保ったままで歩いたり走ったりすることが可能とされた構成とされている。
従って、猫が前記台状部の前記台座に飛び乗ったり寝転んだりすることができるのは勿論、前記円筒状回転部の内側面で猫が歩いたり走ったりすることができる。
その結果、猫が前記台状部の前記台座に飛び乗ったり寝転んだりすることができるのは勿論、前記円筒状回転部の内側面で猫が歩いたり走ったりすることができるので、低層型の猫タワーでありながら、猫の本能的な高いところ好きなことの欲求を満たすことができるのは勿論、運動によりストレス解消を行うという猫の欲求も充分に満たすことができる。
【００１７】
請求項２記載の猫タワーにあっては、前記台状部の内側面と前記円筒状回転部の外側面との間には、ベアリングが介在されている。
従って、前記ベアリングにより、前記台状部の内側面と前記円筒状回転部の外側面との間の摩擦力を低減させることができる。
その結果、前記ベアリングにより、前記台状部の内側面と前記円筒状回転部の外側面との間の摩擦力を低減させることができるので、猫の早い動きにも対応した機能を持たせたものとすることができる。
【００１８】
請求項３記載の猫タワーにあっては、前記ベアリングは、静音機能付きのベアリングである。
従って、前記ベアリングが、静音機能付きのベアリングであるため、前記円筒状回転部の内側面で猫が歩いたり走ったりしても、騒音が出ない。
その結果、前記ベアリングが、静音機能付きのベアリングであるため、前記円筒状回転部の内側面で猫が歩いたり走ったりしても、騒音が出ないので、猫の飼い主をはじめ、家人などが騒音に悩まされることがない。
【００１９】
請求項４記載の猫タワーにあっては、前記円筒状回転部の内側面に、投影手段で、目標物を投影可能とされている。
従って、前記円筒状回転部の内側面で猫は投影された目標物を追いかけて歩いたり走ったりする。
その結果、前記円筒状回転部の内側面で猫は投影された目標物を追いかけて歩いたり走ったりするので、猫は夢中になってより楽しんで運動をすることができる。
【００２０】
請求項５記載の猫タワーにあっては、前記台状部の下方には、その幅方向に転倒防止用部材が設けられている。
従って、前記転倒防止用部材により、前記円筒状回転部の内側面で猫が歩いたり走ったりしている場合などにも、前記猫タワーが横倒しになるおそれを低減することができる。
その結果、前記転倒防止用部材により、前記円筒状回転部の内側面で猫が歩いたり走ったりしている場合などにも、前記猫タワーが横倒しになるおそれを低減することができるので、横倒しになった前記猫タワーに猫がぶつかって怪我をするなどの事故を低減することができる。
【図面の簡単な説明】
【００２１】
【図１】図１は、本考案の一実施形態の猫タワーの概略構成を示す斜視図である。
【図２】図２は、本考案の一実施形態の猫タワーの概略構成を示す平面図である。
【考案を実施するための形態】
【００２２】
以下、本考案に係る猫タワーを、一実施形態に基づき、図面を参照して説明する。
【００２３】
先ず、一実施形態の構成について説明する。
図１及び図２は、本考案の一実施形態の猫タワー１０の概略構成を示している。
【００２４】
この一実施形態の猫タワー１０は、図１及び図２に示したように、上面に猫１１が飛び乗ったり寝転んだりする台座１２を有し、水平方向に貫通孔１３を有する筒状の台状部１４と、台状部１４の貫通孔１３の内部で回動可能に設置された円筒状回転部１５とから成る。
【００２５】
そして、図１に示したように、猫１１が円筒状回転部１５の内側面で略同一の位置を保ったままで歩いたり走ったりすることが可能とされた構成とされている。
【００２６】
ここで、台状部１４は、角形筒状形状とされており、貫通孔１３も角形形状なので、台状部１４の内側面と円筒状回転部１５の外側面との間には、猫１１が潜り抜けることが可能な潜孔１６，１６が形成されている。
【００２７】
また、台状部１４の内側面と円筒状回転部１５の外側面との間には、台状部１４の内側面の両側縁部から突出された先端に回転可能なベアリング１８をそれぞれ備えた突起部１７，・・・が設けられている。
【００２８】
さらに、円筒状回転部１５の外側面の縁部には、ベアリング１８が嵌り込むガイド溝１９，１９が形成されており、猫１１が円筒状回転部１５の内側面で歩いたり走ったりしていても、円筒状回転部１５が、台状部１４から簡単には外れないようになっている。
【００２９】
なお、ベアリング１８，・・・には、静音機能付きのベアリングが使用されている。この静音機能付きのベアリングは、ベアリングを製造する各社から市販されており、簡単に入手することができる。
【００３０】
また、図１に示したように、猫タワー１０の傍らには、投影手段としてのレーザーポインタ２０が設置されており、猫１１が歩いたり走ったりする円筒状回転部１５の内側面の上方に、このレーザーポインタ２０により、レーザーを出し、目標物としての光点２１を投影することができるようになっている。
【００３１】
さらに、台状部１４の下方には、図１及び図２に示したように、その幅方向に転倒防止用部材２２，２２が設けられている。
【００３２】
また、転倒防止用部材２２，２２の角部は、面取りがなされており、猫１１が怪我をしないように細心の注意が払われている。
【００３３】
なお、ここでは、猫タワー１０の幅を約３０ｃｍとし、縦横の長さをそれぞれ約８０ｃｍとし、対象の猫１１として、子猫から中型の猫向けのものとした。
【００３４】
また、台状部１４の上面の台座１２の部分には、カーペット２３が敷設されており、図２に示したように、猫１１が気持ちよく寝転べるようになっている。
【００３５】
次に、この一実施形態の作用効果について説明する。
【００３６】
この本考案の一実施形態の猫タワー１０は、図１及び図２に示したように、上面に猫１１が飛び乗ったり寝転んだりする台座１２を有し、水平方向に貫通孔１３を有する筒状の台状部１４と、台状部１４の貫通孔１３の内部で回動可能に設置された円筒状回転部１５とから成り、猫１１が円筒状回転部１５の内側面で略同一の位置を保ったままで歩いたり走ったりすることが可能とされた構成とされている。
【００３７】
従って、猫１１が台状部１４の台座１２に飛び乗ったり寝転んだりすることができるのは勿論、円筒状回転部１５の内側面で猫が歩いたり走ったりすることができる。
【００３８】
その結果、猫１１が台状部１４の台座１２に飛び乗ったり寝転んだりすることができるのは勿論、円筒状回転部１５の内側面で猫が歩いたり走ったりすることができるので、この猫タワー１０は低層型の猫タワーでありながら、猫１１の本能的な高いところ好きなことの欲求を満たすことができるのは勿論、運動によりストレス解消を行うという猫１１の欲求も充分に満たすことができる。
【００３９】
さらには、円筒状回転部１５は、両側が開口しているので、猫１１は、どちらの開口部からも乗り降りすることができ、円筒状回転部１５の内側面で歩いたり走ったりしている間も両側に接触する邪魔なものが無いので、怪我をするおそれも殆どない。
【００４０】
また、この猫タワー１０は、台状部１４と円筒状回転部１５との間に、潜孔１６，１６が設けられている。
【００４１】
従って、猫１１は、これら潜孔１６，１６を潜り抜けることができる。
【００４２】
その結果、猫１１は、これら潜孔１６，１６を潜り抜けることができるので、狭い孔を潜り抜けるという猫１１が好きな欲求も満たすことができる。
【００４３】
ここで、台状部１４の内側面と円筒状回転部１５の外側面との間には、ベアリング１８，・・・が介在されている。
【００４４】
従って、ベアリング１８，・・・により、台状部１４の内側面と円筒状回転部１５の外側面との間の摩擦力を低減させることができる。
【００４５】
その結果、ベアリング１８，・・・により、台状部１４の内側面と円筒状回転部１５の外側面との間の摩擦力を低減させることができるので、猫１１の早い動きにも対応した機能を持たせたものとすることができる。
【００４６】
また、ベアリング１８，・・・には、静音機能付きのベアリングが使用されている。
【００４７】
従って、ベアリング１８，・・・が、静音機能付きのベアリングであるため、円筒状回転部１５の内側面で猫１１が歩いたり走ったりしても、騒音が出ない。
【００４８】
その結果、ベアリング１８，・・・が、静音機能付きのベアリングであるため、円筒状回転部１５の内側面で猫１１が歩いたり走ったりしても、騒音が出ないので、猫１１の飼い主をはじめ、家人などが騒音に悩まされることがない。
【００４９】
さらに、円筒状回転部１５の内側面に、投影手段としてのレーザーポインタ２０で、目標物としての光点２１を投影可能とされている。
【００５０】
従って、特に、猫１１はレーザーポインタ２０の光点２１に興味を示すことが多いため、円筒状回転部１５の内側面で猫１１は投影された目標物としての光点２１を追いかけて歩いたり走ったりする。
【００５１】
その結果、円筒状回転部１５の内側面で猫１１は投影された目標物としての光点２１を追いかけて歩いたり走ったりするので、猫１１は夢中になってより楽しんで運動をすることができる。
【００５２】
また、台状部１４の下方には、その幅方向に転倒防止用部材２２，２２が設けられている。
【００５３】
従って、転倒防止用部材２２，２２により、円筒状回転部１５の内側面で猫１１が歩いたり走ったりしている場合などにも、猫タワー１０が横倒しになるおそれを低減することができる。
【００５４】
その結果、転倒防止用部材２２，２２により、円筒状回転部１５の内側面で猫１１が歩いたり走ったりしている場合などにも、猫タワー１０が横倒しになるおそれを低減することができるので、横倒しになった猫タワー１０に猫１１がぶつかって怪我をするなどの事故を低減することができる。
【００５５】
さらに、台状部１４の上面の台座１２の部分には、カーペット２３が敷設されている。
【００５６】
従って、猫１１は、カーペット２３が敷設された台座１２が気持ち良いことが分かる。
【００５７】
その結果、猫１１は、カーペット２３が敷設された台座１２が気持ち良いことが分かるので、頻繁に飛び乗る運動を行ったり、くつろぎたいときは、喜んで寝転がったりすることができる。
【００５８】
以上、本考案に係る猫タワーの一実施形態について図面を参照して詳述してきたが、具体的な構成は、この一実施形態に限らず、本考案の要旨を逸脱しない程度の設計的変更は、本考案に含まれる。
【００５９】
例えば、上記した一実施形態では、猫タワー１０の幅を約３０ｃｍとし、縦横の長さをそれぞれ約８０ｃｍとし、猫１１として、子猫から中型の猫向けのものとしたが、これに限定されず、より大きなサイズにして、大型の猫向けのものとして実施してもよい。
【００６０】
また、上記した一実施形態では、分かり易いように、台状部１４の角部を角張ったものとしたが、これに限定されず、転倒防止用部材２２，２２のように、角部を面取りして猫１１の安全上より良くして実施することもできる。
【００６１】
また、上記した一実施形態では、投影手段としてのレーザーポインタ２０から投影される目標物を単なる光点２１としたが、これに限定されず、猫１１がより興味を持つように、例えば、ネズミ型をした投影物として実施してもよい。
【００６２】
さらに、上記した一実施形態では、潜孔１６，１６と上側の孔２４，２４をあけたが、これに限定されず、外観品質の向上や掃除等のメンテナンスの容易性などを重視する場合は、これら潜孔１６，１６と上側の孔２４，２４のそれぞれの入口と出口を塞いで実施してもよい。
【産業上の利用可能性】
【００６３】
本考案に係る猫タワーは、低層型の猫タワーでありながら、猫の本能的な高いところ好きなことの欲求を満たすことができるのは勿論、運動によりストレス解消を行うという猫の欲求も充分に満たすことができるものであることから、産業上の利用可能性を有している。
【符号の説明】
【００６４】
１０    猫タワー
１１    猫
１２    台座
１３    貫通孔
１４    台状部
１５    円筒状回転部
１６    潜孔
１７    突起部
１８    ベアリング
１９    ガイド溝
２０    レーザーポインタ（投影手段）
２１    光点（目標物）
２２    転倒防止用部材
２３    カーペット
２４    孔
【図１】
0003212527.tif 000003
【図２】
0003212527.tif 000004